(57)【要約】【課題】冷凍温度帯室を備えた冷蔵庫に係り、冷凍温度帯室の温度変動を抑える冷蔵庫を提供する。【解決手段】冷蔵庫本体に区画形成されて夫々食品を収納する冷凍温度帯室を備え、冷凍温度帯室は、製氷室３、上段冷凍室４および下段冷凍室５からなる収納空間を有し、上部に位置する製氷室３および上段冷凍室４と、下部に位置する下段冷凍室５との間に蓄冷部材を有する蓄冷ユニット１１０Ａを設けた。蓄冷ユニット１１０Ａは、冷凍室前面仕切り４０の背部の本来食品が収納されない空間に設けられている。【選択図】図５
2012007759.tif 000002
【特許請求の範囲】
【請求項１】
冷蔵庫本体に区画形成されて夫々食品を収納する冷凍温度帯室を備え、
前記冷凍温度帯室は、２つ以上の収納空間を有し、前記冷凍温度帯室内の前記収納空間の外側に蓄冷部材を設けたことを特徴とする冷蔵庫。
【請求項２】
前記収納空間が上下に配置され、
前記蓄冷部材は、上側に位置する前記収納空間と下側に位置する前記収納空間との間に設けられていることを特徴とする請求項１に記載の冷蔵庫。
【請求項３】
前記収納空間が左右に配置され、
前記蓄冷部材は、前記冷凍温度帯室の左側に位置する前記収納空間と右側に位置する前記収納空間との間に設けられていることを特徴とする請求項１に記載の冷蔵庫。
【請求項４】
前記冷凍温度帯室内の背部に配置される冷凍室背面カバー体を備え、
前記蓄冷部材は、前記冷凍室背面カバー体に設けられていることを特徴とする請求項１に記載の冷蔵庫。
【請求項５】
前記冷凍室背面カバー体は、冷気を前記冷凍温度帯室から排出する冷凍室戻り口を形成する冷凍室戻り口形成部を有しており、
前記蓄冷部材は、前記冷凍室戻り口形成部に設けられていることを特徴とする請求項４に記載の冷蔵庫。
【請求項６】
前記冷凍室背面カバー体は、冷気を前記冷凍温度帯室に導入する冷凍室ダクトを形成する冷凍室ダクト形成部を有しており、
前記蓄冷部材は、前記冷凍室ダクト形成部に設けられていることを特徴とする請求項４に記載の冷蔵庫。
【請求項７】
前記冷凍温度帯室内の背部に配置され、前記冷凍温度帯室に除霜運転中に生じる暖気を貯留する暖気貯留スペースを有する冷凍室背面カバー体を備え、
前記蓄冷部材は、前記冷凍室背面カバー体に設けられていることを特徴とする請求項１に記載の冷蔵庫。
【請求項８】
前記冷凍温度帯室を冷却する冷気が熱交換される冷却器と、前記冷却器を収納する冷却器収納室と、前記冷却器で熱交換された冷気を前記冷凍温度帯室に送風する庫内ファンと、を備え、前記冷凍温度帯室内に、前記蓄冷部材に送風を行う蓄冷部材ファンを設けたことを特徴とする請求項１から請求項７のいずれか１項に記載の冷蔵庫。
【請求項９】
前記冷凍温度帯室を冷却する冷気が熱交換される冷却器と、前記冷却器を収納する冷却器収納室と、前記冷却器で熱交換された冷気を前記冷凍温度帯室に送風する庫内ファンと、を備え、
前記冷凍温度帯室の上壁面に蓄冷部材と、前記冷凍温度帯室内に、前記蓄冷部材に送風を行う蓄冷部材ファンを設けたことを特徴とする請求項１に記載の冷蔵庫。
【請求項１０】
前記冷凍温度帯室を冷却する冷気が熱交換される冷却器と、前記冷却器を収納する冷却器収納室と、前記冷却器で熱交換された冷気を前記冷凍温度帯室に送風する庫内ファンと、を備え、
前記冷凍温度帯室の下壁面に蓄冷部材と、前記冷凍温度帯室内に、前記蓄冷部材に送風を行う蓄冷部材ファンを設けたことを特徴とする請求項１に記載の冷蔵庫。
【請求項１１】
前記冷凍温度帯室を冷却する冷気が熱交換される冷却器と、前記冷却器を収納する冷却器収納室と、前記冷却器で熱交換された冷気を前記冷凍温度帯室に送風する庫内ファンと、を備え、
前記冷凍温度帯室の左右壁面の少なくとも何れか一箇所に蓄冷部材と、前記冷凍温度帯室内に、前記蓄冷部材に送風を行う蓄冷部材ファンを設けたことを特徴とする請求項１に記載の冷蔵庫。
【請求項１２】
前記蓄冷部材を収容する蓄冷部材カバーを設けたことを特徴とする請求項１から請求項１１のいずれか１項に記載の冷蔵庫。
【発明の詳細な説明】
【技術分野】
【０００１】
本発明は、冷凍温度帯室を備えた冷蔵庫に関する。
【背景技術】
【０００２】
蓄冷部材を設けた従来の冷蔵庫としては、例えば、特許文献１や特許文献２に記載の冷蔵庫が提案されている。特許文献１に記載の冷蔵庫は、青果物の保存を考慮したものであって、食品の収納ケースの内壁面や外壁面、または野菜室（庫内）の内壁面に蓄冷部材を設置している。特許文献２に記載の冷蔵庫は、温かい食品による他の空間への影響を考慮して、冷凍温度帯室内に設置した区画スペースの底面に蓄冷部材を設置している。
【先行技術文献】
【特許文献】
【０００３】
【特許文献１】特開２００９−１９２１０９号公報（請求項２、請求項３、図２、図１０参照）
【特許文献２】特開２００５−２２６９８４号公報（段落００３２〜００３４、図３参照）
【発明の概要】
【発明が解決しようとする課題】
【０００４】
しかしながら、特許文献１に記載の冷蔵庫では、蓄冷部材の設置箇所が野菜室内の青果物を鮮度良く保存するのに適した場所であり、冷蔵温度帯室への配慮しか行われていない。また、冷凍温度帯室は冷蔵温度帯室に比べて、冷蔵庫庫外との温度差が大きく、温度分布の偏りが発生しやすい。仮に特許文献１に記載の技術で冷凍温度帯室に蓄冷部材を設置した場合、冷凍温度帯室の温度変動を十分抑えることができず、ひいては冷凍食品が解けるといった不具合が生じることがあった。
【０００５】
一方、特許文献２に記載の冷蔵庫では、冷凍温度帯室の収納ケースに蓄冷部材が設置され、冷凍温度帯室内の区画スペースに温かい食品を入れた際、温かい食品による他の空間への熱影響を抑えることを目的としている。しかしながら、冷凍温度帯室の区画スペースに多量の温かい食品を入れた場合、区画スペースが高い温度を保持してしまい、冷凍温度帯室全域を適正な温度に保つことができないという問題があった。
【０００６】
本発明は以上のような問題点に鑑みてなされたものであり、冷凍温度帯室を備えた冷蔵庫に係り、冷凍温度帯室の温度変動を抑える冷蔵庫を提供することを目的とする。
【課題を解決するための手段】
【０００７】
前記目的を達成するために、本発明の請求項１に記載の発明は、冷蔵庫本体に区画形成されて夫々食品を収納する冷凍温度帯室を備え、前記冷凍温度帯室は、２つ以上の収納空間を有し、前記冷凍温度帯室内の前記収納空間の外側に蓄冷部材を設けたことを要旨とする。これにより、冷凍温度帯室の温度変動が少ない冷蔵庫となる。
【発明の効果】
【０００８】
本発明によれば、冷凍温度帯室を備えた冷蔵庫に係り、冷凍温度帯室の温度変動を抑える冷蔵庫を提供できる。また、冷却器による冷却を行っていないときでも、蓄冷部材によって冷凍温度帯室内の温度変動を抑えることが可能な冷蔵庫を得ることができる。
【図面の簡単な説明】
【０００９】
【図１】本発明の第１実施形態から第６実施形態に係る冷蔵庫の外観正面図である。
【図２】冷蔵庫の庫内の構成を示す図１のＡ−Ａ断面図である。
【図３】冷蔵庫の冷気ダクトや冷気吹き出し口の配置などを示す正面図である。
【図４】本発明の第１実施形態に係る冷蔵庫の冷凍温度帯室の構成を示す図２の冷凍温度帯室の拡大図である。
【図５】本発明の第１実施形態に係る冷蔵庫の冷凍温度帯室の構成を示す図２におけるＢ−Ｂ断面図である。
【図６】本発明の第１実施形態に係る冷蔵庫の蓄冷ユニットの構成を示す断面図（図２におけるＢ−Ｂ方向断面）である。
【図７】本発明の第１実施形態に係る冷蔵庫の蓄冷ユニットの構成を示す断面図（図１におけるＡ−Ａ方向断面）である。
【図８】本発明の第２実施形態に係る冷蔵庫の冷凍温度帯室の構成を示す図２におけるＢ−Ｂ断面図である。
【図９】本発明の第２実施形態に係る冷蔵庫の冷凍温度帯室の構成を示す図１のＣ−Ｃ断面図である。
【図１０】本発明の第２実施形態に係る冷蔵庫に搭載される蓄冷ユニットを示す断面である。
【図１１】（ａ）は図１０のＤ−Ｄ断面図、（ｂ）は図１０のＥ−Ｅ断面図、（ｃ）は図１０のＦ−Ｆ断面図である。
【図１２】本発明の第３実施形態に係る冷蔵庫の冷凍温度帯室の構成を示す図２の冷凍温度帯室の拡大図である。
【図１３】本発明の第３実施形態に搭載される蓄冷ユニットを示す断面図である。
【図１４】本発明の第４実施形態に係る冷蔵庫の冷凍温度帯室の構成を示す図２の冷凍温度帯室の拡大図である。
【図１５】本発明の第４実施形態に搭載される蓄冷ユニットを示す断面図である。
【図１６】本発明の第５実施形態に係る冷蔵庫の冷凍温度帯室の構成を示す図２のＢ−Ｂ断面図である。
【図１７】本発明の第６実施形態に係る冷蔵庫の冷凍温度帯室の構成を示す図２のＢ−Ｂ断面図である。
【図１８】本発明の第７実施形態に係る冷蔵庫の冷凍温度帯室の構成を示す図２のＢ−Ｂ断面図である。
【発明を実施するための形態】
【００１０】
(第１実施形態)
本発明の実施形態に係る冷蔵庫を、図１から図７を参照しながら説明する。なお、図１ないし図３に示す冷蔵庫は、第１実施形態ないし第６実施形態に係る冷蔵庫と共通の構成を図示している。なお、符号１Ａは第１実施系知亜に係る冷蔵庫、符号１Ｆは第６実施形態に係る冷蔵庫であり、各実施形態を問わず、冷蔵庫を総称するときは符号１を用いる。
【００１１】
図１に示すように、本実施形態の冷蔵庫１は、食品収納室として、上方から、冷蔵室２、製氷室３（上側に位置する収納空間）、上段冷凍室４（上側に位置する収納空間）、下段冷凍室５（下側に位置する収納空間）、野菜室６を備えている。また、製氷室３と上段冷凍室４は、同じ高さ位置において左右に配置されている。なお、以下本明細書中では、製氷室３と上段冷凍室４と下段冷凍室５の総称として冷凍温度帯室６０、冷蔵室２と野菜室６の総称として冷蔵温度帯室６１と呼ぶことがある。
【００１２】
冷蔵室２は、前面側に、左右に分割された観音開きの冷蔵室扉２ａ，２ｂを備え、製氷室３、上段冷凍室４、下段冷凍室５、野菜室６は、それぞれ引き出し式の製氷室扉３ａ、上段冷凍室扉４ａ、下段冷凍室扉５ａ、野菜室扉６ａを備えている。以下では、冷蔵室扉２ａ，２ｂ、製氷室扉３ａ、上段冷凍室扉４ａ、下段冷凍室扉５ａ、野菜室扉６ａを単に扉２ａ，２ｂ，３ａ，４ａ，５ａ，６ａと称する。
【００１３】
また、冷蔵庫１は、扉２ａ，２ｂ，３ａ，４ａ，５ａ，６ａの開閉状態をそれぞれ検知する図示しない扉センサと、扉開放状態と判定された状態が所定時間（例えば１分間）以上継続された場合に、使用者に報知する図示しないアラーム、冷蔵室２や野菜室６の温度設定や冷凍温度帯室６０の温度設定をする図示しない温度設定器等を備えている。
【００１４】
図２に示すように、冷蔵庫１の庫外と庫内は、発泡断熱材（発泡ポリウレタン）を充填することにより形成される断熱箱体１０（冷蔵庫本体）により隔てられている。また、冷蔵庫１の断熱箱体１０は真空断熱材２５を実装している。
【００１５】
冷蔵庫１の庫内は、冷蔵室−冷凍室断熱仕切壁２８により冷蔵室２と、上段冷凍室４及び製氷室３（図１参照）とが隔てられ、冷凍室−野菜室断熱仕切壁２９により、下段冷凍室５と野菜室６とが隔てられている。
【００１６】
扉２ａ，２ｂの庫内側には複数の扉ポケット３２が備えられている。また、冷蔵室２は複数の棚３６により縦方向に複数の貯蔵スペースに区画されている。
【００１７】
上段冷凍室４、下段冷凍室５及び野菜室６は、各室の前部に備えられた扉４ａ，５ａ，６ａと一体に引き出される、収納容器４ｂ，５ｂ，６ｂがそれぞれ設けられており、扉４ａ，５ａ，６ａの図示しない取手部に手を掛けて手前側に引き出すことにより収納容器４ｂ，５ｂ，６ｂが引き出せるようになっている。図１に示す製氷室３にも同様に、扉３ａと一体に、図示しない収納容器（図２中（３ｂ）で表示）が設けられ、扉３ａの図示しない取手部に手を掛けて手前側に引き出すことにより収納容器３ｂが引き出せるようになっている。
【００１８】
また、図４に示すように、収納容器３ｂ，４ｂ，５ｂを引き出しやすくするため、また収納容器３ｂ，４ｂ，５ｂを支えるため、収納容器３ｂ，４ｂ，５ｂの左右にはスライドレール７１（図５参照）が設置されている。図示していないが収納容器６ｂの左右にもスライドレールが設置されている。一方、収納容器３ｂ，４ｂ，５ｂの左右の外側面には、前記スライドレール７１によってスライド自在に支持されるスライダ７２（図５参照）が形成されている。
【００１９】
なお、上段冷凍室４は、急速冷凍室として使用できるように構成されている。急速冷凍性能の向上のために、上段冷凍室４の収納容器４ｂには図示しないアルミトレーが備えられており、冷凍速度が向上するようになっている。
【００２０】
図２に戻って、冷蔵庫１は、扉３ａ、４ａ、５ａの隙間を埋め、冷凍温度帯室６０から外気への冷気漏れ防止のために冷凍室前面仕切り４０（図１参照）を備えている。冷凍室前面仕切り４０と扉３ａ、４ａ、５ａは磁力で吸着され、冷凍温度帯室６０の密閉度を向上させている。また、収納容器３ｂ，４ｂの間には、収納容器３ｂ，４ｂのスライドレール７１（図５参照）を設けるための冷凍室中央仕切り４１（図５参照）が設けられている。
【００２１】
また、冷蔵庫１は、冷却器７、冷却器収納室８、庫内ファン９、暖気貯留スペース２６を備えている。冷却器７は、下段冷凍室５の略背部に配置され、冷却器収納室８内に設けられている。冷却器７の上方に設けられた庫内ファン９により、冷却器７と熱交換して冷やされた空気（冷却器冷気、以下、冷却器７で冷やされてできた低温空気を「冷却器冷気」（冷気）と称する）が冷蔵室ダクト１１を介して冷蔵室２に送られ、冷凍室ダクト１２を介して上段冷凍室４、下段冷凍室５、製氷室３の各室へ送られる。各室への送風は冷蔵室ダンパ２０と冷凍室ダンパ５０の開閉により制御される。
【００２２】
具体的には、冷蔵室ダンパ２０が開状態、冷凍室ダンパ５０が閉状態のときには、図３に示すように、冷却器冷気は、冷蔵室ダクト１１を経て多段に設けられた吹き出し口２ｃから冷蔵室２に送られる。冷蔵室２の冷却を終えた冷却器冷気（冷気）は、冷蔵室２の背面右側下部に備えられた冷蔵室戻り口２ｄから流出し、冷蔵室−野菜室連通ダクト１６を介して、野菜室６の背面右側上部に設けられた野菜室吹き出し口６ｃから野菜室６に流入して野菜室６を冷却する。野菜室６を冷却した冷却器冷気は、冷凍室−野菜室断熱仕切壁２９の下部前方に設けられた野菜室戻り口６ｄ（図２参照）から、野菜室戻りダクト１８（図２参照）を介して、冷却器７の幅とほぼ等しい幅の野菜室戻り吹き出し口１８ａ（図３参照）から冷却器７に戻る。
【００２３】
また、冷凍室ダンパ５０が開状態のときには、冷却器７で熱交換された冷却器冷気が庫内ファン９により昇圧され、冷凍室ダクト１２を経て各吹き出し口３ｃ，４ｃ，５ｃからそれぞれ製氷室３、上段冷凍室４、下段冷凍室５へ送風される。各冷凍室３，４，５を冷却した冷却器冷気は、冷凍室戻り口１７（図２参照）から冷却器７に戻る。なお、本実施形態の冷蔵庫１では、冷凍温度帯室６０の吹き出し口３ｃ〜５ｃは、計７個備えられているが、これに限定されず、適宜変更することができる。
【００２４】
本実施形態の冷蔵庫１では、冷却器７の上方に庫内ファン９を設け、庫内ファン９の上方に冷凍室ダンパ５０を設けている（図２参照）。さらに、冷凍室ダンパ５０の上方に冷凍温度帯室６０の上段に位置する上段冷凍室４に冷却器冷気を送り出す吹き出し口４ｃと製氷室３に冷却器冷気を送り出す吹き出し口３ｃが備えられている。
【００２５】
なお、冷却器７が収納された冷却器収納室８の下方には、除霜ヒータ２２が備えられている。除霜ヒータ２２は、例えば、ガラス管ヒータであり、ガラス管の外周にアルミニウム製の放熱フィン（不図示）を備えたものである。また、除霜ヒータ２２の上方には、除霜水が除霜ヒータ２２に滴下することを防止するための上部カバー（不図示）が設けられている。
【００２６】
図４に示すように、暖気貯留スペース２６は、冷却器収納室８の下部前方に設けられている。この暖気貯留スペース２６は、冷却器収納室８を構成する前側の壁面に沿って形成され、下端部２６ａが開口し、上端部２６ｂが閉塞した形状である。したがって、除霜ヒータ２２に通電することにより実施される除霜運転中に生じる暖気（上昇気流）が、暖気貯留スペース２６に溜まることで、冷凍温度帯室６０に流入するのを抑えることができるようになっている。
【００２７】
なお、本実施形態の冷蔵庫１では暖気貯留スペース２６、冷凍室戻り口１７および冷凍室ダクト１２の夫々の前面部（冷凍温度帯室６０側）は一体成型品となっており、また暖気貯留スペース２６、冷凍室戻り口１７および冷凍室ダクト１２の夫々の背面部（冷却器収納室８側）も一体成型品となっている。この暖気貯留スペース２６、冷凍室戻り口１７および冷凍室ダクト１２を構成する部材を、以後冷凍室背面カバー体７０と呼ぶ。また、冷凍室背面カバー体７０のうち、冷凍室吹き出し口の最下部である吹き出し口５ｃより上部を冷凍室ダクト形成部７０ａ、吹き出し口５ｃより下部を冷凍室戻り口形成部７０ｂと呼ぶ。
【００２８】
冷却器７及びその周辺の冷却器収納室８の壁に付着した霜は、除霜運転時に融かされ、その際に生じた除霜水は冷却器収納室８の下部に備えられた樋２３に流入した後に、排水管２７を介して後記する機械室１９に配置された蒸発皿２１（図２参照）に達し、圧縮機２４（図２参照）及び、機械室１９内に配設される図示しない凝縮器の発熱により蒸発させられる。
【００２９】
また、冷却器７の正面から見て左上部には冷却器７に取り付けられた冷却器温度センサ３５、冷蔵室２には冷蔵室温度センサ３３、下段冷凍室５には冷凍室温度センサ３４がそれぞれ備えられており、それぞれ、冷却器７の温度（以下、冷却器温度と称する）、冷蔵室２の温度（以下、冷蔵室温度と称する）、下段冷凍室５の温度（以下、冷凍室温度と称する）を検知できるようになっている。更に、冷蔵庫１は、庫外の温度を検知する図示しない外気温度センサを備えている。なお、野菜室６にも野菜室温度センサ３３ａが配置されている。
【００３０】
ちなみに、本実施形態では、イソブタンを冷媒として用い、冷媒封入量は約８８ｇと少量にしている。
【００３１】
冷蔵庫１の天井壁上面側にはＣＰＵ，ＲＯＭやＲＡＭ等のメモリ、インターフェース回路等を搭載した制御基板３１が配置されている（図２参照）。制御基板３１は、前記した外気温度センサ（不図示）、冷却器温度センサ３５（図２参照）、冷蔵室温度センサ３３（図２参照）、野菜室温度センサ３３ａ（図２参照）、冷凍室温度センサ３４（図２参照）、扉２ａ，２ｂ，３ａ，４ａ，５ａ，６ａの各扉の開閉状態をそれぞれ検知する前記した扉センサ、冷蔵室２の内壁に設けられた図示しない温度設定器等と接続し、前記ＲＯＭに予め搭載されたプログラムにより、圧縮機２４のＯＮ，ＯＦＦ等の制御，冷蔵室ダンパ２０及び冷凍室ダンパ５０を個別に駆動する図示省略のそれぞれのアクチュエータの制御，庫内ファン９のＯＮ／ＯＦＦ制御や回転速度制御、前記した扉開放状態を報知するアラームのＯＮ／ＯＦＦ等の制御を行う。
【００３２】
図４および図５に示すように、第１実施形態の冷蔵庫1Ａは、製氷室３及び上段冷凍室４と、下段冷凍室５との間であり、かつ、冷凍室前面仕切り４０（図４参照）の背面となる箇所に蓄冷ユニット１１０Ａを備えている。この蓄冷ユニット１１０Ａは、外形が板状に形成され、冷蔵庫１Ａの左パネル１０ａから右パネル１０ｂまで延びて形成され（図５参照）、冷凍室前面仕切り４０の背面から冷凍室背面カバー体７０まで前面まで延びて形成されている（図５参照）。つまり、冷凍温度帯室６０が、蓄冷ユニット１１０Ａによって、製氷室３および上段冷凍室４と、下段冷凍室５との間において冷気（流体）が行き来しないように区画されている。
【００３３】
図６および図７に示すように、蓄冷ユニット１１０Ａは、蓄冷剤１０１を封入した蓄冷部材１００を備えている。蓄冷剤１０１を覆う蓄冷部材１００の容器は、蓄冷剤１０１による腐食防止のため樹脂で形成されている。本実施形態の蓄冷剤１０１の融点は、例えば−１５℃である。蓄冷部材１００周りの空気が蓄冷剤１０１よりも温度が低い場合、蓄冷剤１０１は庫内空気（冷気）により冷却される。また、蓄冷部材１００周りの空気が蓄冷剤１０１よりも温度が高い場合、蓄冷剤１０１は蓄冷部材１００周りの空気を冷却し、その冷気（蓄冷部材冷気、以下、蓄冷部材１００で冷やされてできた低温空気を「蓄冷部材冷気」と称する）によって冷凍温度帯室６０を冷却することができる。
【００３４】
また、蓄冷部材１００の形状は、正面側から見たときの縦断面視において、上面および下面に凹凸形状が左右方向に連続して形成され、上面側の凸面１００ａと、下面側の凸面１００ｂとが対向して配置され、上面側の凹面１００ｃと下面側の凹面１００ｄとが対向して配置された形状である。このように、蓄冷剤１０１と蓄冷部材冷気との伝熱量の向上のため、凹凸を設け、伝熱面積を拡大させている。
【００３５】
また、蓄冷ユニット１１０Ａは、蓄冷部材１００の周囲を覆う蓄冷部材カバー２００Ａを備えている。この蓄冷部材カバー２００Ａは、蓄冷部材１００よりも水平方向に一回り大きく形成されている。すなわち、蓄冷部材カバー２００Ａは、上下方向の高さが蓄冷部材１００とほぼ接する高さに形成され（図６および図７参照）、左右方向の長さ（幅）が蓄冷部材１００の幅より若干広く形成され（図６参照）、前後方向の長さ（奥行）が蓄冷部材１００の奥行より若干長く形成されている（図７参照）。
【００３６】
また、蓄冷部材カバー２００Ａの高さＨ１（図７参照）は、冷凍室前面仕切り４０の高さＨ２（図４参照）と同様またはほぼ同様に形成されている。すなわち、蓄冷部材カバー２００Ａの天井面２００ｃと冷凍室前面仕切り４０の上面４０ａとが面一となり、また蓄冷部材カバー２００の底面２００ｄと冷凍室前面仕切り４０の下面４０ｂとが面一となるように形成されている。換言すると、蓄冷部材カバー２００Ａの天井面２００ｃが冷凍室前面仕切り４０の上面４０ａよりも上方へ突出しないように形成され、蓄冷部材カバー２００Ａの底面２００ｄが冷凍室前面仕切り４０の下面よりも下方へ突出しないように形成されている。
【００３７】
また、蓄冷部材カバー２００Ａには、その内部底面に蓄冷剤桶２０３が設けられている。この蓄冷剤桶２０３は、蓄冷部剤１００の前方と後方に蓄冷剤桶壁２０４ａ，２０４ｂを有している。なお、蓄冷部材１００の左右については、蓄冷部材カバー２００Ａ自体の左側面２００ａおよび右側面２００ｂが蓄冷剤桶壁として機能している。よって、蓄冷部材１００の下側には、蓄冷剤桶壁２０４ａ，２０４ｂ、左側面２００ａおよび右側面２００ｂによって凹状に形成された桶（貯留部）が構成されている。
【００３８】
また、蓄冷部材カバー２００Ａには、蓄冷剤桶壁２０４ｂの後方の底面２００ｄと天井面２００ｃとに、循環する蓄冷部材冷気が流入する蓄冷部材カバー流入口２０１ａ，２０１ｂが形成されている。また、蓄冷部材カバー２００Ａには、蓄冷剤桶壁２０４ａの前方の底面２００ｄと天井面２００ｃとに、蓄冷部材冷気が流出する蓄冷部材カバー流出口２０２ａ，２０２ｂが形成されている。
【００３９】
なお、製氷室３および上段冷凍室４の容積が下段冷凍室５の容積よりも小さく形成され、循環させる風量も少なくて済むので、蓄冷部材カバー流入口２０１ｂおよび蓄冷部材カバー流出口２０２ｂの開口面積が、蓄冷部材カバー流入口２０１ａおよび蓄冷部材カバー流出口２０２ａの開口面積よりも小さく形成されている。
【００４０】
また、蓄冷剤桶壁２０４ａの高さ寸法をｈ２とし、蓄冷剤桶壁２０４ｂの高さ寸法をｈ１としたときに、蓄冷部材冷気が流入する蓄冷部材カバー流入口２０１ａ，２０１ｂ側の蓄冷剤桶壁２０４ｂを蓄冷剤桶壁２０４ａより低く設定している。また、蓄冷部材カバー２００Ａは伝熱性能の低い樹脂で形成されている。
【００４１】
また、蓄冷部材カバー２００Ａの内部には、蓄冷剤桶壁２０４ａと蓄冷部材カバー流出口２０２ａ，２０２ｂとの間に、前記庫内ファン９とは別に、蓄冷部材冷気を循環させるための、蓄冷部材ファン１０２が設けられている。
【００４２】
なお、第１実施形態の冷蔵庫１Ａでは蓄冷部材ファン１０２を蓄冷部材１００と近接させ１つのユニットとしたが、蓄冷部材ファン１０２によって蓄冷部材１００周辺に空気を送風することが可能であれば、蓄冷部材ファン１０２は冷凍温度帯室６０又は冷凍室ダクト１２内のどの位置に設置しても構わない。
【００４３】
蓄冷部材ファン１０２を稼動させることで、蓄冷ユニット１１０Ａ（蓄冷部材カバー２００Ａ）内の空気と冷凍温度帯室６０との間で空気の流入、流出を行えるようになっている。具体的には、蓄冷部材カバー流入口２０１ａ，２０１ｂから蓄冷ユニット１１０Ａ内に冷凍温度帯室６０の冷気が流入し、蓄冷部材カバー流出口２０２ａ，２０２ｂから冷凍温度帯室６０に冷気が流出する。
【００４４】
さらに説明すると、蓄冷部材カバー流入口２０１ａから蓄冷ユニット１１０Ａ内に下段冷凍室５の空気が流入し、また蓄冷部材カバー流入口２０１ｂから蓄冷ユニット１１０Ａ内に上段冷凍室４および製氷室３内の空気が流入する。そして蓄冷部材１００の凹面１００ｃ，１００ｄと蓄冷部材カバー２００Ａとで形成された風路Ｓを通って、蓄冷部材カバー流出口２０２ａから下段冷凍室５内に、または蓄冷部材カバー流出口２０２ｂから上段冷凍室４および製氷室３内に空気が流出する。
【００４５】
以上、第１実施形態に係る冷蔵庫１Ａの構造を説明したが、以下では第１実施形態に係る冷蔵庫１が奏する効果について説明する。
【００４６】
ところで、冷凍温度帯室６０に、上下に複数の食品収納空間を持った家庭用冷蔵庫の多くは、下段側の食品収納空間の貯蔵容積を大きくとっており、下段冷凍室５内の食品の冷却及び低温維持に必要な冷却量は他の室（製氷室３、上段冷凍室４）よりも大きくなっている。第１実施形態の冷蔵庫１Ａによれば、蓄冷ユニット１１０Ａ（蓄冷部材１００）を下段冷凍室５の上方、つまり製氷室３と上段冷凍室４（上側に位置する収納空間）と、下段冷凍室５（下側に位置する収納空間）との間に配置することで、自然対流で蓄冷部材冷気は下段冷凍室５に向かい、下段冷凍室５を効果的に冷やすことができる。そのため、必要な冷却量が大きい下段冷凍室５を効果的に冷やすことで、冷凍温度帯室６０の温度変動を抑えることが可能になる。
【００４７】
また、第１実施形態の冷蔵庫１Ａによれば、製氷室３及び上段冷凍室４と、下段冷凍室５との間で、かつ、冷凍室前面仕切り４０の背面となる箇所に蓄冷部材１００を設けることにより、蓄冷部材１００による貯蔵容積（実際に、食品を収納することができる空間の容積）の減少を抑えることができる。つまり、扉５ａを開け、冷凍室前面仕切り４０の高さまで収納容器５ｂに食品を収納した場合、扉５ａを閉める際に冷凍室前面仕切り４０と食品が接触し、扉５ａを閉めることができなくなる。そのため、冷凍室前面仕切り４０の背面は、食品を貯蔵できない空間となっている。よって、前記箇所（製氷室３及び上段冷凍室４と、下段冷凍室５との間で、かつ、冷凍室前面仕切り４０の背面となる箇所）に蓄冷部材１００を設けることで、蓄冷部材１００を設けていない冷蔵庫と比べて貯蔵容積を減らすことなく蓄冷部材１００を設置することができ、スペース効率の高い冷蔵庫となる。
【００４８】
また、第１実施形態の冷蔵庫１Ａによれば、前記箇所に蓄冷部材１００を設けることにより、製氷室３および上段冷凍室４と下段冷凍室５との間（上下の室間）の仕切りとして用いることができ、冷却器７によって冷凍温度帯室６０を冷却する際、新たに仕切りを用いることなく、上下の室間の冷気の対流を抑えることが可能になる。ちなみに、上下の室間に仕切りがない場合、自然対流で製氷室３と上段冷凍室４の各冷気は下段冷凍室５に向かう。しかし前記箇所に蓄冷部材１００を設けることで上下の室間の冷気の対流を抑え、製氷室３及び上段冷凍室４の温度変動を抑えることができ、冷凍温度帯室６０全領域の温度変動を抑えることが可能な冷蔵庫となる。
【００４９】
また、第１本実施形態の冷蔵庫１Ａによれば、庫内ファン９とは別に、蓄冷部材冷気を循環させるための、蓄冷部材ファン１０２を備えることにより、冷凍温度帯室６０の温度変動を抑えることが可能な冷蔵庫となる。その理由を以下に示す。
【００５０】
つまり、冷蔵庫１Ａにおいて、蓄冷部材１００による冷凍温度帯室６０の冷却を行う必要があるのは、主に庫内ファン９によって冷凍温度帯室６０の冷気循環を行うことができないときである。蓄冷部材１００による冷却を行う必要があるときの１つとしては、冷却器７の除霜時がある。冷却器７を除霜するため、除霜ヒータ２２に通電した場合、冷却器収納室８内の空気温度が上昇する。このため、冷却器収納室８内の空気を冷凍温度帯室６０に流入させずに冷凍温度帯室６０の温度上昇を防ぐには、庫内ファン９を用いず蓄冷部材１００による冷却を行う必要がある。
【００５１】
また、蓄冷部材１００による冷却を行う必要があるときとして、扉３ａ，４ａ，５ａの開閉後の冷凍温度帯室６０の温度上昇時がある。この場合、冷却器７と蓄冷部材１００の両方で冷却する方法と、蓄冷部材１００のみで冷却する方法とが考えられる。前者の場合は、冷却器冷気を送風するため、庫内ファン９による冷凍温度帯室６０内の冷気循環は可能である。しかし、後者の場合は、庫内ファン９による冷気循環は難しい。ここで、後者となる状況を説明する。扉３ａ，４ａ，５ａの開閉以前に、冷蔵庫１Ａの冷却負荷が少ない状態が続いた場合、省エネ等のため圧縮機２４を一時的に停止し、冷却器収納室８内の空気温度を上げている時間が存在する。その間に、扉開閉により冷凍温度帯室６０内の空気温度が急激に上昇したとしても、まず圧縮機２４を稼働させ、冷却器収納室８内の空気温度を下げてから冷却器冷気を冷凍温度帯室６０に送風する必要がある。そのため、その冷却器収納室８内の空気温度を下げている間に冷凍温度帯室６０を冷やそうとした場合、庫内ファン９を用いず蓄冷部材１００による冷却を行う必要がある。
【００５２】
また、第１実施形態のように冷凍室ダンパ５０を備えた冷蔵庫１Ａにおいて、蓄冷部材１００による冷却を行う必要があるときとして、冷凍室ダンパ５０を閉じ、冷蔵温度帯室６１の冷却に冷却器冷気を送風しているときがある。このとき、冷却器冷気は冷凍温度帯室６０には入らないため、冷凍温度帯室６０の温度上昇を抑えるためには、蓄冷部材１００による冷却が必要となるが、冷凍室ダンパ５０を閉じているため、蓄冷部材１００による冷却を行う際に庫内ファン９を用いることはできない。
【００５３】
しかしながら、蓄冷部材１００による冷却時には、冷凍温度帯室６０内の冷気循環が有効となる。一般に、気体と液体又は気体と固体の伝熱量は、気体と液体又は気体と固体間の温度差と、熱伝達率と、伝熱面積によって決定される。そのため冷凍温度帯室６０の冷気が循環しておらず熱伝達率が一定で、伝熱面積が一定であれば、庫内空気と蓄冷部材１００の間の伝熱量は庫内空気と蓄冷部材１００の温度差で決まる。よって、伝熱量を向上させるためには、強制対流によって熱伝達率を向上させる必要がある。
【００５４】
そこで、第１実施形態のように、庫内ファン９とは別に蓄冷部材ファン１０２を備えることが有効となる。蓄冷部材ファン１０２を取り付けることで、前記したように庫内ファン９による冷凍温度帯室６０の冷気循環を行えない場合にも、蓄冷部材１００と庫内空気の間の伝熱量の調整が可能となり、伝熱量の調整を行うことで冷凍温度帯室６０の温度変動を抑えることが可能になる。
【００５５】
また、庫内ファン９以外の冷気循環ファンがない場合、庫内ファン９を冷凍温度帯室６０以外の温度帯室への送風に使用している場合や庫内ファン９を停止させている場合、自然対流によって冷凍温度帯室６０の中の庫内空気に温度差が発生してしまう。このとき、第１実施形態のように、蓄冷部材ファン１０２を冷凍温度帯室６０専用のファンとして用いることで、冷凍温度帯室６０の中の冷気を循環させることができ、冷凍温度帯室６０内の温度分布を均一にし、冷凍温度帯室６０内全域の温度変動を抑えることが可能になる。
【００５６】
また、第１実施形態のように冷凍温度帯室６０に複数の収納空間（製氷室３、上段冷凍室４、下段冷凍室５）がある冷蔵庫１において、蓄冷部材ファン１０２によって各収納空間への蓄冷部材冷気の分配を行うことができる。特に、第１実施形態の冷蔵庫１Ａの場合、製氷室３及び上段冷凍室４のように、蓄冷部材１００よりも上部に設置された収納空間をファンなしで蓄冷部材１００によって冷却するには、基本的には自然対流でなく熱伝導による冷却となるが、その場合、製氷室３及び上段冷凍室４の十分な冷却は難しい。しかし、第１実施形態のように蓄冷部材ファン１０２を設置することで、蓄冷部材冷気を上方空間に送ることが可能となるため、製氷室３及び上段冷凍室４を蓄冷部材１００で冷却することができ、冷凍温度帯室６０内全域の温度変動を抑えることができる。
【００５７】
また、第１実施形態によれば、設置スペースやコスト等の制約により、伝熱面積の小さな蓄冷部材１００しか設置できない場合においても、蓄冷部材ファン１０２を備えることによって熱伝達率を上げることで高い伝熱量を得ることができる。
【００５８】
また、蓄冷剤１０１は融点以上の温度では液体となるため、蓄冷部材１００に損傷が発生した場合、蓄冷剤１０１が流出し、蓄冷剤１０１と食品とが接触してしまう可能性がある。そこで、第１実施形態の冷蔵庫１Ａでは、蓄冷部材カバー２００Ａに蓄冷剤桶２０３（図６および図７参照）を設けることで、蓄冷剤１０１が蓄冷部材１００から流出したとしても、蓄冷剤桶２０３に蓄冷剤１０１が溜まり、蓄冷剤１０１と食品の接触を防ぐことができる。これにより、信頼性の高い冷蔵庫１Ａとなる。ちなみに、蓄冷剤桶２０３に溜まった蓄冷剤１０１は、蓄冷部材１００から流出して蓄冷剤桶２０３に溜まった後も冷却に支障なく利用できる。
【００５９】
また、通常、冷凍温度帯室６０内を流れる冷却器冷気は乾燥した空気であるため、蓄冷ユニット１１０Ａ内に霜が付着しても時間が経過すると気化するため、蓄冷剤桶２０３に霜が大量にたまる可能性は少ないが、扉開閉等の絶対湿度の高い空気が流入することで、一時的に蓄冷剤桶２０３に霜がたまることが考えられる。そのため、蓄冷剤桶２０３に霜が溜まっている状態において蓄冷剤１０１が流入した場合、蓄冷剤桶２０３に収納しきれない可能性がある。しかし、蓄冷剤桶２０３の容量を増やすため蓄冷剤桶壁２０４ａ，２０４ｂの底面２００ｄからの高さ寸法ｈ１，ｈ２（図７参照）を高くしすぎると、蓄冷ユニット１１０Ａ内の風路を塞ぐ事になる。そのため、蓄冷部材カバー流入口２０１ａは蓄冷剤１０１の排出口としても機能する。蓄冷剤１０１が蓄冷剤桶２０３に収納しきれない場合に、蓄冷部材カバー流入口２０１ａから蓄冷ユニット１１０Ａ外に排出することで、収納容器５ｂ内の食品に蓄冷剤１０１が触れることなく冷凍温度帯室６０の外部に排出できる。蓄冷剤１０１が必ず蓄冷部材カバー流入口２０１ａから排出できるよう、蓄冷剤桶壁２０４ａ，２０４ｂのうち蓄冷部材カバー流入口２０１ａ側の蓄冷剤桶壁２０４ｂを、蓄冷剤桶壁２０４ａを含む他の壁よりも低くしている(図７参照)。
【００６０】
これにより、蓄冷剤桶２０３で受けきれない蓄冷剤１０１は、蓄冷部材カバー流入口２０１ａから蓄冷ユニット１１０Ａ外に流出したとしても、その後収納容器５ｂと冷凍室背面カバー体７０との間の空間を通り、冷凍室戻り口１７より冷却器収納室８の下部に備えられた樋２３に流入し、排水管２７を介して機械室１９に配された蒸発皿２１に溜まるようになっている。そのため、蓄冷部材１００から蓄冷剤１０１が流出し、蓄冷剤桶２０３内に蓄冷剤１０１が収容しきれない場合においても、蓄冷剤１０１と食品との接触を確実に防ぐことができる。これにより、信頼性の高い冷蔵庫となる。
【００６１】
また、第１実施形態の冷蔵庫１では、蓄冷部材カバー２００Ａが蓄冷部材ファン１０２による蓄冷部材１００への送風風路としての役割も果たしている。第１実施形態の冷蔵庫１のように、蓄冷部材１００の表面に凹凸を設けている場合、蓄冷部材１００周辺は抵抗が大きく空気が流れ難くなっているため、蓄冷部材カバー２００Ａを設けないと、蓄冷部材１００周辺を流れる空気流量が少なくなってしまう。そこで、第１実施形態のように、蓄冷部材カバー２００Ａによって蓄冷部材ファン１０２から蓄冷部材１００に送風する風路を形成することで、空気が蓄冷部材１００周辺（近傍）を通り、蓄冷部材１００と庫内空気の熱交換量を増やすことができる。そのため、冷凍温度帯室６０を十分に冷却することが可能となり、冷凍温度帯室６０の温度変動を抑えることが可能となる。
【００６２】
(第２実施形態)
次に、第２実施形態の冷蔵庫１Ｂの蓄冷部材１００の構成について、図８ないし図１１を参照しながら説明する。なお、第１実施形態と同一の構成については、同一符号を付して説明を省略する。また他の実施形態に共通する効果も省略する。図８は本発明の第２実施形態に係る冷蔵庫の冷凍温度帯室の構成を示す図２におけるＢ−Ｂ断面図、図９は本発明の第２実施形態に係る冷蔵庫の冷凍温度帯室の構成を示す図１のＣ−Ｃ断面図、図１０は第２実施形態に係る冷蔵庫に搭載される蓄冷ユニットを示す断面図、図１１（ａ）は図１０のＤ−Ｄ断面図、（ｂ）は図１０のＥ−Ｅ断面図、（ｃ）は図１０のＦ−Ｆ断面図である。
【００６３】
図８及び図９に示すように、第２実施形態の冷蔵庫１Ｂは、蓄冷ユニット１１０Ｂが製氷室３と上段冷凍室４との間で、かつ、冷凍室前面仕切り４０の背面であり（図９参照）、冷凍室中央仕切り４１の上面側となる箇所に設置されるように構成されている。
【００６４】
図１０に示すように、蓄冷ユニット１１０Ｂは、蓄冷部材カバー２００Ｂ内に、蓄冷部材１００および蓄冷部材ファン１０２を備えている。また、蓄冷部材カバー２００Ｂは、蓄冷部材１００の後方において、上部に連通部２００ｅが形成された仕切板２００ｆが、蓄冷部材カバー２００Ｂ内の底面から上方に延びて形成されている。また、蓄冷部材カバー２００Ｂは、蓄冷部材１００の前方において、下部に連通部２００ｇが形成された仕切板２００ｈが、蓄冷部材カバー２００Ｂ内の天井面から下方に延びて形成されている。
【００６５】
蓄冷部材１００は、図１１（ａ）に示すように、左右両側面において、上下方向（鉛直方向）に凹凸形状が連続して形成されている。蓄冷部材１００の凸面１００ａが蓄冷部材カバー２００Ｂの内壁面に当接し、凹面１００ｃと蓄冷部材カバー２００Ｂとで形成される空間が蓄冷部材冷気が通流する風路Ｓとして構成されている。
【００６６】
図１１（ｂ）に示すように、蓄冷部材カバー２００Ｂの後下部の左右両側面には、循環する蓄冷部材冷気が流入する蓄冷部材カバー流入口２０１ｃ，２０１ｄが形成されている。また、図１１（ｃ）に示すように、蓄冷部材カバー２００Ｂの前上部の左右両側面には、蓄冷部材冷気が流出する蓄冷部材カバー流出口２０２ｃ，２０２ｄが形成されている。なお、上段冷凍室４に対向する蓄冷部材カバー流入口２０１ｃおよび蓄冷部材カバー流出口２０２ｃの開口面積が、製氷室３に対向する蓄冷部材カバー流入口２０１ｄおよび蓄冷部材カバー流出口２０２ｄの開口面積よりも大きく形成されている。
【００６７】
蓄冷部材ファン１０２を稼動させることにより、蓄冷部材冷気が蓄冷部材カバー流入口２０１ｃ，２０１ｄを介して蓄冷部材カバー２００Ｂ内に流入し、連通部２００ｅ、蓄冷部材１００の風路（第１実施形態と同様の風路Ｓ）、連通部２００ｅを通って、蓄冷部材カバー２００Ｂの外部に流出する。
【００６８】
ところで、冷凍温度帯室６０に、上下に複数の食品収納空間を持った家庭用冷蔵庫の多くは、下段側の食品収納空間の貯蔵容積を大きくとっており、下段冷凍室５内の食品の冷却及び低温維持に必要な冷却量は他の室（製氷室３、上段冷凍室４）よりも大きくなっている。第２実施形態の冷蔵庫１Ｂによれば、蓄冷ユニット１１０Ｂ（蓄冷部材１００）を下段冷凍室５の上方、つまり製氷室３と上段冷凍室４との間に配置することで、自然対流で蓄冷部材冷気は下段冷凍室５に向かい、下段冷凍室５を効果的に冷やすことができる。そのため、必要な冷却量が大きい下段冷凍室５を効果的に冷やすことで、冷凍温度帯室６０の温度変動を抑えることが可能になる。
【００６９】
また、前記箇所（製氷室３と上段冷凍室４との間）に蓄冷ユニット１００Ｂ（蓄冷部材１００）を設けることにより、第１実施形態の冷蔵庫１Ａと同様、蓄冷部材１００による貯蔵容積（実際に、食品を収納することができる空間の容積）が減少するのを抑えることができる。冷凍室前面仕切り４０の背面は、扉の開閉時に冷凍室前面仕切り４０と食品が接触して食品を取り出すことができなくなるため、食品を貯蔵できない空間となっている。冷凍室前面仕切り４０の背面に蓄冷部材１００を設けることで、蓄冷部材１００を設けていない冷蔵庫と比べて貯蔵容積を減らすことなく蓄冷部材１００を設置することができ、スペース効率の高い冷蔵庫となる。
【００７０】
また、前記箇所（製氷室３と上段冷凍室４との間）に蓄冷ユニット１１０Ｂ（蓄冷部材１００）を設けることにより、製氷室３と上段冷凍室４との間の仕切りとして用いることができ、冷却器７によって冷凍温度帯室６０を冷却する際、新たに仕切りを用いることなく、左右の室間の冷気の対流を抑えることが可能になる。製氷室３と上段冷凍室４のように、左右の室の役割が違う冷蔵庫１Ｂでは、役割ごとに必要な冷却量も異なる。製氷室３に収納される物体は氷であるため、氷点下以下に保つことができれば製氷室３としての役割を果たすことができるが、上段冷凍室４にて冷却する物体を冷凍するにはより低温な冷気が必要となる。そのため、左右の室間に仕切りがない場合、左右の室間で冷気が交換され、必要な冷却量が少ない室においても、他の室を冷却するために、不要な冷却を行うことになる。しかし前記箇所（製氷室３と上段冷凍室４との間）に蓄冷ユニット１１０Ｂ（蓄冷部材１００）を設けることで左右の室間の冷気の対流を抑え、製氷室３と上段冷凍室４、夫々を冷却するのに必要な冷却量のみを与えることが可能になり、より効率的な運転が可能な冷蔵庫１Ｂとなる。
【００７１】
また、第２実施形態の冷蔵庫１Ｂによれば、第１実施形態の冷蔵庫１Ａと同様、庫内ファン９とは別に、蓄冷部材冷気を循環させるための、蓄冷部材ファン１０２を備えている。製氷室３及び上段冷凍室４のように、蓄冷部材１００の左右に設置された収納空間をファンなしで蓄冷部材１００によって冷却するには、基本的には自然対流でなく熱伝導による冷却となるが、その場合、製氷室３及び上段冷凍室４の十分な冷却は難しい。そこで、蓄冷部材ファン１０２を設置することで蓄冷部材冷気を左右方向の空間に送ることが可能となるため、製氷室３及び上段冷凍室４を蓄冷部材１００で効果的に冷却することができ、冷凍温度帯室６０内全域の温度変動を抑えることができる。
【００７２】
(第３実施形態)
次に、第３実施形態の冷蔵庫１Ｃの蓄冷部材１００の構成に関し、図１２および図１３を参照しながら説明する。なお、第１実施形態と同一の構成については、同一符号を付して説明を省略する。また他の実施形態に共通する効果も省略する。図１２は第３実施形態の冷蔵庫の冷凍温度帯室の構成を示す図１の冷凍温度帯室拡大図、図１３は本発明の第３実施形態に搭載される蓄冷ユニットを示す断面図である。
【００７３】
図１２に示すように、第３実施形態の冷蔵庫１Ｃは、冷凍室背面カバー体７０と収納容器５ｂとの間に蓄冷ユニット１１０Ｃ（蓄冷部材１００）を備えている。
【００７４】
図１３に示すように、蓄冷ユニット１１０Ｃは、蓄冷部材カバー２００Ｃの内部に、蓄冷部材１００および蓄冷部材ファン１０２を備えている。蓄冷部材１００は、蓄冷部材冷気が通流する風路Ｓが形成されている。
【００７５】
蓄冷部材カバー２００Ｃは、前後方向に扁平で左右方向に長く形成された形状を呈し、前面の下部に循環する蓄冷部材冷気が流入される蓄冷部材カバー流入口２０１ｅが形成され、前面の上部に蓄冷部材冷気が流出する蓄冷部材カバー流出口２０２ｅが形成されている。なお、蓄冷部材カバー２００Ｃの底部には、蓄冷部材１００から漏れ出た蓄冷剤が貯留される蓄冷剤桶２０３ａが形成されている。
【００７６】
第３実施形態の冷蔵庫１Ｃによれば、蓄冷ユニット１１０Ｃ（蓄冷部材１００）を前記箇所（冷凍室背面カバー体７０と収納容器５ｂとの間）に設置することで、冷凍温度帯室６０の温度変動を抑える事ができる。理由を以下に示す。
【００７７】
圧縮機２４（図２参照）の停止時や除霜ヒータ２２（図２参照）の通電時等の冷却器７付近の空気が一時的に温度上昇した際、冷却器収納室８から冷凍温度帯室６０への熱の流入が起きることが考えられる。前記箇所（冷凍室背面カバー体７０と収納容器５ｂとの間）に蓄冷ユニット１１０Ｃ（蓄冷部材１００）を設置することで、蓄冷ユニット１１０Ｃ（蓄冷部材１００）がその熱を吸熱するため、冷凍温度帯室６０の温度上昇を抑えることが可能になる。特に、冷凍室戻り口１７からは、熱伝導による冷凍温度帯室６０への熱の流入だけでなく、ヒータで加熱された空気自体の流入が考えられるため、蓄冷ユニット１１０Ｃを冷凍室戻り口形成部７０ｂに取り付けることで冷凍温度帯室６０の温度上昇を抑える効果が得られる。なお、第３実施形態では冷凍室背面カバー体７０と収納容器５ｂの間に蓄冷ユニット１１０Ｃ（蓄冷部材１００）を設けたが、冷凍室背面カバー体７０の内側、つまり暖気貯留スペース２６内に蓄冷ユニット１１０Ｃ（蓄冷部材１００）を設置しても、同様の効果が得られる。
【００７８】
また、冷凍室背面カバー体７０と収納容器５ｂとの間の空間は、貯蔵容積拡大のためには小さくすることが望まれる。しかし、冷凍室背面カバー体７０と収納容器５ｂとの間の空間は、冷却器収納室８が温まった際の暖気貯留スペース２６及び冷却器収納室８から収納容器５ｂ内への熱流入による収納容器５ｂの温度上昇を抑える断熱層としての役割を果たしている。そこで、第３実施形態によれば、前記箇所（冷凍室背面カバー体７０と収納容器５ｂとの間）に蓄冷ユニット１１０Ｃ（蓄冷部材１００）を設置することで、前記したように冷凍温度帯室６０の温度上昇を抑える事ができるため、貯蔵容積（実際に、食品を収納することができる空間の容積）を減らすことなく蓄冷ユニット１１０Ｃ（蓄冷部材１００）を設置することができ、スペース効率の高い冷蔵庫１Ｃとなる。
【００７９】
ところで、蓄冷部材ファン１０２による冷気循環がなくても下段冷凍室５の背面側（冷却器７側）は冷却されるが、製氷室３及び上段冷凍室４のように、蓄冷ユニット１１０Ｃ（蓄冷部材１００）よりも上部に設置された収納空間を蓄冷ユニット１１０Ｃ（蓄冷部材１００）によって冷却することは、自然対流のみでは難しい。そこで、第３実施形態の冷蔵庫１Ｃによれば、第１実施形態の冷蔵庫１Ａと同様、庫内ファン９とは別に、蓄冷部材冷気を循環させるための蓄冷部材ファン１０２を設置することで蓄冷部材冷気を上方の空間に送ることが可能となるため、製氷室３及び上段冷凍室４を蓄冷部材１００で冷却することができ、冷凍温度帯室６０内全域の温度変動を抑えることが可能になる。
【００８０】
(第４実施形態)
次に、第４実施形態の冷蔵庫１Ｄの蓄冷部材１００の構成に関し、図１４および図１５を参照しながら説明する。なお、第３実施形態と同一の部品については、同一符号を付して説明を省略する。また他の実施形態に共通する効果も省略する。図１４は第４実施形態の冷蔵庫の冷凍温度帯室の構成を示す図１の冷凍温度帯室拡大図、図１５は本発明の第４実施形態に搭載される蓄冷ユニットを示す断面図である。
【００８１】
図１４に示すように、第４実施形態の冷蔵庫１Ｄは、冷凍室背面カバー体７０内の冷凍室ダクト１２内に蓄冷ユニット１１０Ｄ（蓄冷部材１００）を備えている。
【００８２】
図１５に示すように、蓄冷ユニット１１０Ｄは、蓄冷部材カバー２００Ｄの内部に、蓄冷部材１００および蓄冷部材ファン１０２を備えている。蓄冷部材１００は、蓄冷部材冷気が通流する風路Ｓが形成されている。
【００８３】
蓄冷部材カバー２００Ｄは、前後方向に扁平で左右方向に長く形成された形状を呈し、前面の下部に循環する蓄冷部材冷気が流入される蓄冷部材カバー流入口２０１ｅが形成され、前面の上部に蓄冷部材冷気が流出する蓄冷部材カバー流出口２０２ｅが形成されている。なお、蓄冷部材カバー２００Ｄの底部には、蓄冷部材１００から漏れ出た蓄冷剤が貯留される蓄冷剤桶２０３ａが形成されている。
【００８４】
第４実施形態の冷蔵庫１Ｄによれば、蓄冷ユニット１１０Ｄ（蓄冷部材１００）を前記箇所（冷凍室ダクト１２内）に設置することで、効率的に蓄冷することができる。理由を以下に示す。
【００８５】
蓄冷部材１００が冷凍室ダクト１２にある場合、冷却器冷気で蓄冷ユニット１１０Ｄに蓄冷させる際には、蓄冷部材１００周辺の空気は冷凍温度帯室６０を冷やす前の冷却器冷気であり、比較的低い温度の空気で蓄冷部材１００との温度差が十分大きく取れる。また、冷凍室ダクト１２内は、庫内ファン９の稼動時には多くの冷気が流れ、熱伝達率が十分大きくなる。そのため蓄冷部材１００を冷凍室ダクト１２に設置することで高い交換熱量を得られ、効率的に蓄冷部材１００に蓄冷することができる。
【００８６】
さらに、蓄冷部材１０が冷凍室ダクト１２にあることで、収納容器に過度に食品が入っている場合においても省エネ性が高い冷蔵庫となる。蓄冷ユニット１１０Ｄが冷凍温度帯室６０にあった場合は、ユーザーが収納容器に過度に食品を詰めたときには、貯蔵食品による風路抵抗によって冷凍温度帯室６０内の気流が変化して、庫内ファン９の稼動時に蓄冷ユニット１１０Ｄ周辺に十分な冷気が到達せず、蓄冷が不十分となる場合がある。この場合、十分な蓄冷のためには庫内ファン９の稼動と同時に蓄冷部材ファン１０２を稼動させて、蓄冷ユニット１１０Ｄに十分な冷気を送ることが必要となる。この場合、蓄冷のために、庫内ファン９だけでなく蓄冷部材ファン１０２も稼動させることから、ファン動力が大きくなる。一方、第４実施形態の冷蔵庫１Ｄでは、蓄冷部材１００を冷凍室ダクト１２内に配設している。冷凍室ダクト１２内は、庫内ファン９の稼動時には多くの冷気が流れ、また、収納容器内の食品の状態の影響を受けにくいため、ユーザーが収納容器に過度に食品を詰めた場合であっても、基本的に庫内ファン９の稼動のみで蓄冷することができる。したがって、蓄冷部材ファン１０２を稼動しない分だけ省エネ性が高い冷蔵庫となる。
【００８７】
ところで、蓄冷部材ファン１０２による冷気強制循環がない場合には、自然対流により蓄冷部材冷気は蓄冷ユニット１１０Ｄよりも下部にある吹き出し口５ｃから下段冷凍室５に向かい、上部にある吹き出し口３ｃ，４ｃからは冷凍温度帯室６０で暖められた空気が流入する。そのため、下段冷凍室５は冷却できるが、製氷室３および上段冷凍室４を冷却することは難しい。そこで、第４実施形態の冷蔵庫１Ｄによれば、第１実施形態の冷蔵庫１Ａと同様、庫内ファン９とは別に、蓄冷部材冷気を循環させるための蓄冷部材ファン１０２を設置することで蓄冷部材冷気を上方の空間に送ることが可能となる。そのため、製氷室３および上段冷凍室４を冷やしたい場合は、蓄冷部材ファン１０２を稼動させ、冷気吹き出し口５ｃを冷凍温度帯室６０からの冷気戻り風路として、冷気吹き出し口３ｃおよび４ｃから蓄冷部材冷気を製氷室３および上段冷凍室４に送風し冷却することができる。これにより、冷凍温度帯室６０内全域の温度変動を抑えることが可能になる。
【００８８】
(第５実施形態)
次に、第５実施形態の冷蔵庫１Ｅの蓄冷部材１００の構成に関し、図１６を参照しながら説明する。なお、第１実施形態と同一の部品については、同一符号を付して説明を省略する。また他の実施形態に共通する効果も省略する。図１６は、第５実施形態の冷蔵庫の冷凍温度帯室の構成を示す図２におけるＢ−Ｂ断面図である。
【００８９】
図１６に示すように、第５実施形態の冷蔵庫１Ｅでは、冷凍温度帯室６０の上壁面（冷蔵室−冷凍室断熱仕切壁２８の内面）に蓄冷ユニット１１０Ｅ（蓄冷部材１００）を設置している。なお、図示していないが、蓄冷ユニット１１０Ｅは、前記第１実施形態と同様に、蓄冷部材カバー２００Ａ内に、蓄冷部材１００および蓄冷部材ファン１０２を備え、蓄冷部材カバー２００Ａに蓄冷部材カバー流入口２０１ａ，２０１ｂおよび蓄冷部材カバー流出口２０２ａ，２０２ｂを備えて構成されている。
【００９０】
第５実施形態の冷蔵庫１Ｅによれば、前記箇所（冷凍温度帯室６０の上壁面）に蓄冷ユニット１１０Ｅ（蓄冷部材１００）を設置したので、蓄冷部材１００が冷凍温度帯室６０の上部に位置することになって、自然対流により蓄冷部材冷気が冷凍温度帯室６０の全域を冷やすことが可能になる。その結果、冷凍温度帯室６０内全域の温度変動を抑えることが可能になる。
【００９１】
また、第５実施形態の冷蔵庫１Ｅによれば、前記箇所（冷凍温度帯室６０の上壁面）に蓄冷ユニット１１０Ｅ（蓄冷部材１００）を設置することで、扉２ａ，２ｂの開閉などにより冷蔵室２の温度が上がり、冷凍温度帯室６０への熱流入が増加した場合であっても、熱容量の高い蓄冷部材１００（蓄冷剤１０１）がその熱を吸収するため、冷凍温度帯室６０の温度変動を抑えることが可能になる。
【００９２】
また、第５実施形態の冷蔵庫１Ｅは、第１実施形態の冷蔵庫１Ａと同様、庫内ファン９とは別に、蓄冷部材冷気を循環させるための、蓄冷部材ファン１０２を備えている。ちなみに、前記箇所（冷凍温度帯室６０の上壁面）に蓄冷ユニット１１０Ｅ（蓄冷部材１００）を設置するが、蓄冷部材ファン１０２を備えていない場合、蓄冷部材１００に蓄冷させるには、熱伝導によって蓄冷部材１００を冷却するか、冷却器冷気を蓄冷部材１００に送風するように冷凍室ダクト１２の吹き出し口３ｃ，４ｃを調整する必要がある。しかし、前者の方法では蓄冷部材１００を冷却するのに長時間要し、また後者の方法では冷蔵室−冷凍室断熱仕切壁２８に冷却器冷気を送風するように吹き出し口３ｃ、４ｃを調整することが必要になるため、冷蔵室２を過度に冷却する可能性がある。そこで、第５実施形態の冷蔵庫１Ｅによれば、蓄冷部材ファン１０２を設けることで、必要に応じて庫内冷気を蓄冷ユニット１１０Ｅ内に取り込み、蓄冷部材１００に冷却器冷気を送風することができる。そのため、蓄冷部材１００は蓄冷しやすくなる。
【００９３】
(第６実施形態)
次に、第６実施形態の冷蔵庫１Ｆの蓄冷部材１００の構成に関し、図１７を参照しながら説明する。なお、第１実施形態と同一の部品については、同一符号を付して説明を省略する。また他の実施形態に共通する効果も省略する。図１７は本発明の第６実施形態に係る冷蔵庫の冷凍温度帯室の構成を示す図２のＢ−Ｂ断面図である。
【００９４】
図１７に示すように、第６実施形態の冷蔵庫１Ｆでは、冷凍温度帯室６０の下壁面の収納容器５ｂと冷凍室−野菜室断熱仕切壁２９との間に蓄冷ユニット１１０Ｆ（蓄冷部材１００）を設置している。前記箇所（収納容器５ｂと冷凍室−野菜室断熱仕切壁２９との間）に蓄冷部材１００を設置することで、扉６ａの開閉などにより野菜室６の温度が上がり、冷凍温度帯室６０への熱流入が増加した場合、熱容量の高い蓄冷剤１０１がその熱を吸収するため、冷凍温度帯室６０の温度変動を抑えることが可能になる。
【００９５】
また、第６実施形態の冷蔵庫１Ｆは、第１実施形態の冷蔵庫１Ａと同様、庫内ファン９とは別に、蓄冷部材冷気を循環させるための蓄冷部材ファン１０２を備えている。冷凍温度帯室６０の下壁面（底壁面）に蓄冷ユニット１１０Ｆ（蓄冷部材１００）を設置した場合、自然対流のみでは蓄冷部材１００付近の食品以外の蓄冷部材１００による冷却は難しいが、蓄冷部材１００と共に蓄冷部材ファン１０２を設置することで、冷凍温度帯室６０内の空気が循環し、冷凍温度帯室６０全体を蓄冷部材１００で冷却することが可能となり、冷凍温度帯室６０内全域の温度変動を抑えることができる。
【００９６】
(第７実施形態)
次に、第７実施形態の冷蔵庫１Ｇの蓄冷部材１００の構成に関し、図１８を参照しながら説明する。なお、第１実施形態と同一の部品については、同一符号を付して説明を省略する。また他の実施形態に共通する効果も省略する。図１８は本発明の第７実施形態に係る冷蔵庫の冷凍温度帯室の構成を示す図２のＢ−Ｂ断面図である。
【００９７】
図１８に示すように、第７実施形態の冷蔵庫１Ｇでは、各スライドレール７１を避け、冷凍温度帯室６０の左右壁面に蓄冷ユニット１１０Ｇ（蓄冷部材１００）を設置している。なお、蓄冷ユニット１１０Ｇは、左右壁面の隙間全体に設ける構成に限定されるものではなく、適宜選択して適用できる。
【００９８】
ところで、左右壁面にスライドレール７１を備えた冷蔵庫１Ｇにおいて、スライドレール７１の上下に食品を入れようと考えた場合、収納容器３ｂ，４ｂ，５ｂはスライドレール７１を避けるような複雑な形状となり、食品収納が難しくなる。そのため、多くの冷蔵庫ではスライドレール７１の上下は食品が収納できない空間となっている。そこで、第７実施形態の冷蔵庫１Ｇによれば、前記箇所のスライドレール７１の上下に蓄冷ユニット１１０Ｇ（蓄冷部材１００）を設置することで、蓄冷ユニット１１０Ｇ（蓄冷部材１００）を設けていない冷蔵庫から貯蔵容積（実際に、食品を収納することができる空間の容積）を減らすことなく蓄冷部材１００を設置することができ、スペース効率の高い冷蔵庫となる。
【００９９】
また、第７実施形態の冷蔵庫１Ｇによれば、第６実施形態と同様、冷凍温度帯室６０の左右壁面に蓄冷ユニット１１０Ｇ（蓄冷部材１００）を設置した場合、自然対流のみでは蓄冷部材１００付近の食品以外には蓄冷部材１００による冷却は難しいが、蓄冷部材１００と共に蓄冷部材ファン１０２を設置することで、冷凍温度帯室６０内の空気が循環し、冷凍温度帯室６０全体を蓄冷部材１００で冷却することが可能となり、冷凍温度帯室６０内全域の温度変動を抑えることができる。
【０１００】
なお、本発明は前記した実施形態に限定されるものではなく、例えば、蓄冷ユニット（蓄冷部材）を冷凍室背面カバー体７０と、収納容器３ｂ，４ｂとの間に設置してもよい。また、第１実施形態ないし第７実施形態のうちのいずれかを選択して組み合わせて構成してもよい。
【符号の説明】
【０１０１】
１（１Ａ〜１Ｆ）  冷蔵庫
２      冷蔵室
３      製氷室
３ａ    製氷室扉
３ｂ    収納容器（収納空間）
４      上段冷凍室
４ａ    上段冷凍室扉
４ｂ    収納容器（収納空間）
５      下段冷凍室
５ａ    下段冷凍室扉
５ｂ    収納容器（収納空間）
５ｃ    吹き出し口
６      野菜室
７      冷却器
８      冷却器収納室
９      庫内ファン
１０    断熱箱体（冷蔵庫本体）
１１    冷蔵室ダクト
１２    冷凍室ダクト
１３    冷気集約ダクト
１６    冷蔵室−野菜室連通ダクト
１７    冷凍室戻り口
１８    野菜室戻りダクト
１８ａ  野菜室戻り吹き出し口
１９    機械室
２０    冷蔵室ダンパ
２１    蒸発皿
２２    除霜ヒータ
２３    樋
２４    圧縮機
２６    暖気貯留スペース
２７    排水管
２８    冷蔵室−冷凍室断熱仕切壁
２９    冷凍室−野菜室断熱仕切壁
３１    制御基板
３３    冷蔵室温度センサ
３３ａ  野菜室温度センサ
３４    冷凍室温度センサ
３５    冷却器温度センサ
４０    冷凍室前面仕切り
４１    冷凍室中央仕切り
５０    冷凍室ダンパ
５３    上部カバー
６０    冷凍温度帯室
６１    冷蔵温度帯室
７０    冷凍室背面カバー体
７０ａ  冷凍室ダクト形成部
７０ｂ  冷凍室戻り口形成部
７１    スライドレール
７２    スライダ
１００  蓄冷部材
１０１  蓄冷剤
１０２  蓄冷部材ファン
１１０Ａ〜１１０Ｆ  蓄冷ユニット
２００Ａ〜２００Ｃ  蓄冷部材カバー
２０１ａ，２０１ｂ  蓄冷部材カバー流入口
２０２ａ，２０２ｂ  蓄冷部材カバー流出口
２０３，２０３ａ  蓄冷剤桶
２０４ａ，２０４ｂ  蓄冷剤桶壁
Ｓ      風路
【図１】
2012007759.tif 000003
【図２】
2012007759.tif 000004
【図３】
2012007759.tif 000005
【図４】
2012007759.tif 000006
【図５】
2012007759.tif 000007
【図６】
2012007759.tif 000008
【図７】
2012007759.tif 000009
【図８】
2012007759.tif 000010
【図９】
2012007759.tif 000011
【図１０】
2012007759.tif 000012
【図１１】
2012007759.tif 000013
【図１２】
2012007759.tif 000014
【図１３】
2012007759.tif 000015
【図１４】
2012007759.tif 000016
【図１５】
2012007759.tif 000017
【図１６】
2012007759.tif 000018
【図１７】
2012007759.tif 000019
【図１８】
2012007759.tif 000020